【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
具体的再生デバイスに適切なインターネットコンテンツガイドを生成するためのシステムであって、前記システムは、
複数の遠隔サーバ上のフィードから、コンテンツメタデータを読み出す手段であって、前記コンテンツメタデータは、前記遠隔サーバを介してアクセス可能なコンテンツを記述する、手段と、
前記フィードから読み出された前記コンテンツメタデータに基づいて、コンテンツメタデータデータベースを更新する手段と、
複数の再生デバイスの各々に対して、複数のナビゲーション階層を定義する手段と
を含み、
各ナビゲーション階層は、カテゴリ情報およびコンテンツ情報を含み、
特定の再生デバイスに伝送された各ナビゲーション階層は、前記特定の再生デバイスがアクセスするように認証され、かつ、再生可能である、カテゴリおよびコンテンツ情報を含み、
前記複数の再生デバイスの各々は、関連付けられたナビゲーション階層に基づいて、インターネットコンテンツガイドを生成するように構成されている、システム。
【請求項２】
前記システムは、具体的フィードフォーマットから具体的コンテンツメタデータを読み出すように構成されたメタデータアダプタを使用して、複数の遠隔サーバから、前記遠隔サーバ上のフィードを介してアクセス可能なコンテンツを記述するコンテンツメタデータを読み出す手段をさらに含む、請求項１に記載のシステム。
【請求項３】
前記システムは、所定のスケジュールに従って、前記複数の遠隔サーバからのコンテンツメタデータの前記読み出しをスケジューリングする手段をさらに含む、請求項２に記載のシステム。
【請求項４】
フィードと関連付けられた遠隔サーバを介してアクセス可能なコンテンツの具体的断片に関して、前記システムによって、前記フィードから読み出されるコンテンツメタデータは、一意の識別子を含む、請求項１〜３のいずれかに記載のシステム。
【請求項５】
前記システムは、具体的フィードから読み出された前記コンテンツメタデータの一意の識別子を前記コンテンツメタデータデータベース内のフィードと関連付けられたコンテンツメタデータの一意の識別子と比較し、前記コンテンツメタデータの一意の識別子が、前記コンテンツメタデータデータベース内のフィードと関連付けられたコンテンツメタデータのいずれかの一意の識別子と異なるとき、コンテンツメタデータを前記フィードと関連付ける手段をさらに含む、請求項４に記載のシステム。
【請求項６】
前記システムは、前記コンテンツメタデータデータベース内のフィードと関連付けられたコンテンツメタデータの一意の識別子が、前記フィードのために読み出されたコンテンツメタデータの一意の識別子のいずれにも一致しないとき、削除されるように、前記コンテンツデータベース内のコンテンツメタデータをマークする手段をさらに含む、請求項５に記載のシステム。
【請求項７】
前記システムは、前記読み出されたコンテンツメタデータの一意の識別子が、前記フィードと関連付けられたコンテンツの断片のためのコンテンツメタデータの一意の識別子に対応するとき、前記メタデータデータベース内に記憶されたコンテンツメタデータを更新し、前記読み出されたコンテンツメタデータとの差異を反映する手段をさらに含む、請求項５に記載のシステム。
【請求項８】
前記メタデータアダプタによって読み出されたコンテンツメタデータのための一意の識別子は、コンテンツの前記具体的断片のためのコンテンツメタデータが前記フィードから読み出される度に、同一である、請求項４に記載のシステム。
【請求項９】
前記コンテンツメタデータデータベースは、前記コンテンツメタデータデータベース内に全カテゴリおよび全コンテンツメタデータを含む完全ナビゲーション階層を定義する、請求項１〜８のいずれかに記載のシステム。
【請求項１０】
前記コンテンツメタデータデータベースは、前記完全ナビゲーション階層内の範囲を定義し、各範囲は、前記カテゴリおよびコンテンツメタデータを限定し、カスタムナビゲーション階層を形成する、請求項９に記載のシステム。
【請求項１１】
具体的再生デバイスに適切なインターネットコンテンツガイドを生成するための方法であって、前記方法は、
複数の遠隔サーバ上のフィードから、コンテンツメタデータを読み出すことであって、前記コンテンツメタデータは、前記遠隔サーバを介してアクセス可能なコンテンツを記述する、ことと、
前記フィードから読み出された前記コンテンツメタデータに基づいて、コンテンツメタデータデータベースを更新することと、
複数の再生デバイスの各々に対して、複数のナビゲーション階層を定義することと
を含み、
各ナビゲーション階層は、カテゴリ情報およびコンテンツ情報を含み、
特定の再生デバイスに伝送された各ナビゲーション階層は、前記特定の再生デバイスがアクセスするように認証され、かつ、再生可能である、カテゴリおよびコンテンツ情報を含み、
前記複数の再生デバイスの各々は、関連付けられたナビゲーション階層に基づいて、インターネットコンテンツガイドを生成するように構成されている、方法。
【請求項１２】
具体的フィードフォーマットから具体的コンテンツメタデータを読み出すように構成されたメタデータアダプタを使用して、複数の遠隔サーバから、前記遠隔サーバ上のフィードを介してアクセス可能なコンテンツを記述するコンテンツメタデータを読み出すことをさらに含む、請求項１１に記載の方法。
【請求項１３】
所定のスケジュールに従って、前記複数の遠隔サーバからのコンテンツメタデータの前記読み出しをスケジューリングすることをさらに含む、請求項１２に記載の方法。
【請求項１４】
フィードと関連付けられた遠隔サーバを介してアクセス可能なコンテンツの具体的断片に関して、前記フィードから読み出されるコンテンツメタデータは、一意の識別子を含む、請求項１１〜１３のいずれかに記載の方法。
【請求項１５】
具体的フィードから読み出された前記コンテンツメタデータの一意の識別子を前記コンテンツメタデータデータベース内のフィードと関連付けられたコンテンツメタデータの一意の識別子と比較し、前記コンテンツメタデータの一意の識別子が、前記コンテンツメタデータデータベース内のフィードと関連付けられたコンテンツメタデータのいずれかの一意の識別子と異なるとき、コンテンツメタデータを前記フィードと関連付けることをさらに含む、請求項１４に記載の方法。
【請求項１６】
前記コンテンツメタデータデータベース内のフィードと関連付けられたコンテンツメタデータの一意の識別子が、前記フィードのために読み出されたコンテンツメタデータの一意の識別子のいずれにも一致しないとき、削除されるように、前記コンテンツデータベース内のコンテンツメタデータをマークすることをさらに含む、請求項１５に記載の方法。
【請求項１７】
前記読み出されたコンテンツメタデータの一意の識別子が、前記フィードと関連付けられたコンテンツの断片のためのコンテンツメタデータの一意の識別子に対応するとき、前記メタデータデータベース内に記憶されたコンテンツメタデータを更新し、前記読み出されたコンテンツメタデータとの差異を反映することをさらに含む、請求項１５に記載の方法。
【請求項１８】
前記メタデータアダプタによって読み出されたコンテンツメタデータのための一意の識別子は、コンテンツの前記具体的断片のためのコンテンツメタデータが前記フィードから読み出される度に、同一である、請求項１４に記載の方法。
【請求項１９】
前記コンテンツメタデータデータベースは、前記コンテンツメタデータデータベース内に全カテゴリおよび全コンテンツメタデータを含む完全ナビゲーション階層を定義する、請求項１１〜１８のいずれかに記載の方法。
【請求項２０】
前記コンテンツメタデータデータベースは、前記完全ナビゲーション階層内の範囲を定義し、各範囲は、前記カテゴリおよびコンテンツメタデータを限定し、カスタムナビゲーション階層を形成する、請求項１９に記載の方法。
【手続補正２】
【補正対象書類名】明細書
【補正対象項目名】００３１
【補正方法】変更
【補正の内容】
【００３１】
別のさらなる実施形態では、メタセンターは、所定のイベントに応答して、保存された検索クエリを使用して、アーカイブサイトを検索するように構成される。
本願明細書は、例えば、以下の項目も提供する。
（項目１）
具体的再生デバイスに適切なインターネットコンテンツガイドを生成するためのシステムであって、
遠隔サーバを介して、アクセス可能なコンテンツを記述する、複数の遠隔サーバ上のフィードから、コンテンツメタデータを読み出し、前記フィードから読み出された前記コンテンツメタデータを使用して、コンテンツメタデータデータベースを更新するように構成される、メタセンターと、
前記メタセンターと通信し、インターネットを介して、コンテンツにアクセスするように構成される、複数の再生デバイスと
を含み、
前記コンテンツメタデータデータベースは、異なる再生デバイスに対して、複数のナビゲーション階層を定義し、各ナビゲーション階層は、カテゴリ情報およびコンテンツ情報を含み、
各再生デバイスは、前記メタセンターから、前記再生デバイスに適切なナビゲーション階層を取得するように構成され、前記再生デバイスによって取得されたナビゲーション階層は、前記再生デバイスが、アクセスするように認証され、かつ、再生可能である、カテゴリおよびコンテンツ情報のみを含み、
前記再生デバイスは、前記メタセンターから取得された、前記ナビゲーション階層を使用して、インターネットコンテンツガイドを生成するように構成される、システム。
（項目２）
前記メタセンターは、具体的フィードフォーマットから、具体的コンテンツメタデータを読み出すように構成される、メタデータアダプタを使用して、前記遠隔サーバ上のフィードを介して、アクセス可能なコンテンツを記述する、複数の遠隔サーバから、コンテンツメタデータを読み出すように構成される、項目１に記載のシステム。
（項目３）
前記メタセンターはさらに、所定のスケジュールに従って、前記複数の遠隔サーバから、コンテンツメタデータの読み出しをスケジューリングするように構成される、メタシンセサイザを含む、項目２に記載のシステム。
（項目４）
前記フィードと関連付けられた遠隔サーバを介して、アクセス可能なコンテンツの具体的断片に関して、前記メタセンターによって、フィードから読み出されるコンテンツメタデータは、一意の識別子を含む、項目１に記載のシステム。
（項目５）
前記メタセンターは、前記コンテンツメタデータの一意の識別子が、前記コンテンツメタデータデータベース内のフィードと関連付けられたコンテンツメタデータのいずれかの一意の識別子と一致しないとき、具体的フィードから読み出されたコンテンツメタデータの一意の識別子を前記コンテンツメタデータデータベース内のフィードと関連付けられたコンテンツメタデータの一意の識別子と比較し、コンテンツメタデータを前記フィードと関連付けるように構成される、項目４に記載のシステム。
（項目６）
前記メタセンターは、前記コンテンツメタデータデータベース内のフィードと関連付けられたコンテンツメタデータの一意の識別子が、前記フィードのために読み出されたコンテンツメタデータの一意の識別子のいずれにも一致しないとき、削除されるように、コンテンツデータベース内のコンテンツメタデータをマークするように構成される、項目５に記載のシステム。
（項目７）
前記メタセンターは、前記読み出されたコンテンツメタデータの一意の識別子が、前記フィードと関連付けられたコンテンツの断片のためのコンテンツメタデータの一意の識別子に対応するとき、前記メタデータデータベース内に記憶されたコンテンツメタデータを更新し、前記読み出されたコンテンツメタデータとの差異を反映するように構成される、項目５に記載のシステム。
（項目８）
メタデータアダプタによって読み出されたコンテンツメタデータのための一意の識別子は、コンテンツの具体的断片のためのコンテンツメタデータが、前記フィードから読み出される度に、同一である、項目４に記載のシステム。
（項目９）
前記コンテンツメタデータデータベースは、前記コンテンツメタデータデータベース内に全カテゴリおよび全コンテンツメタデータを含む、完全ナビゲーション階層を定義する、項目１に記載のシステム。
（項目１０）
前記コンテンツメタデータデータベースは、前記完全ナビゲーション階層内の範囲を定義し、各範囲は、前記カテゴリおよびコンテンツメタデータを限定し、カスタムナビゲーション階層を形成する、項目９に記載のシステム。
（項目１１）
範囲は、異なる種別の再生デバイスに対して定義される、項目１０に記載のシステム。
（項目１２）
前記範囲は、再生デバイスの種別が再生可能なコンテンツに基づいて、アドミニストレータによって定義される、項目１１に記載のシステム。
（項目１３）
範囲は、個々の再生デバイスに対して定義される、項目１０に記載のシステム。
（項目１４）
前記範囲は、カスタムフィードからのコンテンツを含む、項目１３に記載のシステム。
（項目１５）
前記カスタムフィードは、ユーザによって規定されるコンテンツフィードである、項目１４に記載のシステム。
（項目１６）
前記カスタムフィードは、保存された検索クエリの実行に応答して識別される、コンテンツメタデータである、項目１４に記載のシステム。
（項目１７）
前記範囲は、少なくとも１つの制限されたサイトから読み出されたコンテンツメタデータを含む、項目１３に記載のシステム。
（項目１８）
制限されたサイトを介して、アクセス可能なコンテンツのためのコンテンツメタデータは、前記再生デバイスに、前記メタセンターからのコンテンツへのアクセスを要求するように指示する、情報を含み、
前記メタセンターは、前記制限されたサイトから情報を取得し、前記再生デバイスが、前記コンテンツにアクセスするための前記再生デバイスからの要求に応答して、前記制限されたサイト上のコンテンツにアクセスすることを可能にするように構成される、
項目１７に記載のシステム。
（項目１９）
前記範囲は、ユーザ定義フィルタを含み、前記メタセンターは、カスタムナビゲーション階層を再生デバイスに提供するのに先立って、前記フィルタに基づいて、前記ナビゲーション階層をフィルタリングするように構成される、項目１０に記載のシステム。
（項目２０）
前記フィルタは、前記ナビゲーション階層から、少なくとも１つのカテゴリおよび関連付けられたコンテンツをフィルタリングする、ペアレンタルコントロールフィルタである、項目１９に記載のシステム。
（項目２１）
前記フィルタは、割り当てられたコンテンツ評価に基づいて、カテゴリおよびコンテンツメタデータをフィルタリングする、コンテンツ評価フィルタである、項目１９に記載のシステム。
（項目２２）
前記フィルタは、再生デバイスの再生能力に基づいて、コンテンツメタデータをフィルタリングする、再生能力フィルタである、項目１９に記載のシステム。
（項目２３）
各再生デバイスは、共通クライアントを利用して、前記メタセンターから、ナビゲーション階層を取得する、項目１に記載のシステム。
（項目２４）
前記再生デバイスは、前記メタセンターから、ナビゲーション階層を要求するように構成される、項目１に記載のシステム。
（項目２５）
前記再生デバイスは、前記メタセンターから、ナビゲーション階層更新を要求するように構成される、項目１に記載のシステム。
（項目２６）
前記メタセンターは、前記サイトに対して、検索メタデータアダプタを使用して、アーカイブサイトを介して、アクセス可能なコンテンツを検索するように構成される、項目１に記載のシステム。
（項目２７）
前記メタセンターは、再生デバイスからの検索クエリの受信に応答して、アーカイブサイトを検索するように構成される、項目２６に記載のシステム。
（項目２８）
前記メタセンターは、所定のイベントに応答して、保存された検索クエリを使用して、アーカイブサイトを検索するように構成される、項目２６に記載のシステム。